(57)【要約】【課題】短絡接地器具の取り外し忘れを効果的に防止し、ヒューマンエラーによる停電事故の防止、及び作業員の安全を確保する。【解決手段】接地管理システム１は、短絡接地器具１０５に装着されて、ＩＤ信号を送信する送信部２３を備えた送信機１０と、送信機１０から送信されたＩＤ信号を受信する受信部４１、及び受信されたＩＤ信号を含む電波の電波強度に基づいて短絡接地器具の接地又は非接地を判定する処理部４２を備えた受信機３０と、受信機３０から受信した短絡接地器具の状態に関する情報を、工事現場から遠隔の地にある指令所に配置された管理装置６０に送信する携帯端末５０と、を備えた。【選択図】図２
2017099076.tif 000002
【特許請求の範囲】
【請求項１】
短絡接地器具に装着されて、ＩＤ信号を送信するＩＤ信号送信手段を備えた送信機と、
前記ＩＤ信号送信手段から送信された前記ＩＤ信号を受信する受信手段と、
前記受信手段によって受信された前記ＩＤ信号を含む電波の電波強度に基づいて前記短絡接地器具の接地又は非接地を判定する接地判定手段と、
前記接地判定手段により判定された前記短絡接地器具の状態に関する情報を、前記送信機、前記受信手段、及び前記接地判定手段が配置される工事現場から遠隔の地にある指令所に配置された管理装置に送信する情報送信手段と、を備えたことを特徴とする接地管理システム。
【請求項２】
前記接地判定手段は、前記ＩＤ信号が前記受信手段によって受信される場合に前記短絡接地器具が非接地中であると判定し、前記ＩＤ信号が前記受信手段によって受信されない場合に前記短絡接地器具が接地中であると判定することを特徴とする請求項１に記載の接地管理システム。
【請求項３】
前記接地判定手段は、前記ＩＤ信号の受信状態の変化に基づいて、電気工事の作業段階を判定することを特徴とする請求項２に記載の接地管理システム。
【請求項４】
前記電波強度に基づいて前記送信機との距離を算出する測距手段を備え、
前記接地判定手段は、前記送信機との距離が閾値未満である場合に前記短絡接地器具が非接地中であると判定し、前記送信機との距離が閾値以上である場合に前記短絡接地器具が接地中であると判定することを特徴とする請求項１に記載の接地管理システム。
【請求項５】
前記工事現場に配置されて、前記送信機、若しくは前記短絡接地器具の状態、又はこれらの状態に基づく情報を外部に報知する報知手段を備えたことを特徴とする請求項１乃至４の何れか一項に記載の接地管理システム。
【発明の詳細な説明】
【技術分野】
【０００１】
本発明は、電路を停電させて行う電気工事において、工事中の危険な電位上昇を防止する短絡接地器具が工事区間内の電路に付けられているか否かを管理する接地管理システムに関し、特に、工事現場にいる作業員と、工事現場から遠隔の地にある指令所の所員との間で短絡接地器具の取り付け状態に関する情報を共有することが可能な接地管理システムに関する。
【背景技術】
【０００２】
高圧配電線路を停電させて実施する電気工事においては、停電作業中の安全を確保するために電路に作業用接地を施すことが労働安全衛生規則に定められている。
図１５（ａ）〜（ｃ）は、停電作業の様子を示す模式図である。
図１５（ａ）に示すように、電路１０１の工事区間１０２の両端には工事用開閉器１０３が設置される。
図１５（ｂ）に示すように、工事用開閉器１０３を開放（切）にして、工事区間１０２への電力の供給を遮断すると共に、短絡接地器具１０５を取り付ける。工事用開閉器１０３の故障や誤操作によって作業中に工事区間１０２内の電路１０１に電力が供給されたとしても、短絡接地器具１０５を接続しておくことにより工事区間１０２に危険な電位上昇は発生せず、作業員の安全を図ることができる。
ところで、停電作業が終了した場合において開路した電路１０１に通電する場合は、予め短絡接地器具１０５を取り外したことを確認しなければならない。仮に、短絡接地器具１０５を取り付けたまま工事区間１０２内の電路１０１に通電すると、図１５（ｃ）に示すように電路１０１から短絡接地器具１０５に接地電流が流れる。異常な電流は変電所の継電器によって検知され、変電所に設置された遮断器が電路１０１への電力の供給を遮断して停電事故が発生する。また、作業員が短絡接地器具１０５の周囲にいた場合には短絡アークによる火傷を負う虞がある。
短絡接地器具の取り外し忘れを防止する発明として、特許文献１には、接地状態を自己検知して、接地された状態にあるときには警告音を発生させる接地線の取り外し忘れ防止装置が記載されている。
【先行技術文献】
【特許文献】
【０００３】
【特許文献１】特開２００６−５４９８６公報
【発明の概要】
【発明が解決しようとする課題】
【０００４】
しかし、特許文献１に記載の発明においては、接地が付けられた状態にあるか外された状態にあるかを工事現場でのみ確認するものであり、遠方にある指令所との間で情報共有はできない。
本発明は上述の事情に鑑みてなされたものであり、工事現場とこれを管理する指令所との間で短絡接地器具の状態に関する情報を共有することにより、短絡接地器具の取り外し忘れを効果的に防止し、ヒューマンエラーによる停電事故の防止、及び作業員の安全を確保することが可能な接地管理システムを提供することを目的とする。
【課題を解決するための手段】
【０００５】
上記の課題を解決するために、請求項１に記載の発明は接地管理システムであって、短絡接地器具に装着されて、ＩＤ信号を送信するＩＤ信号送信手段を備えた送信機と、前記ＩＤ信号送信手段から送信された前記ＩＤ信号を受信する受信手段と、前記受信手段によって受信された前記ＩＤ信号を含む電波の電波強度に基づいて前記短絡接地器具の接地又は非接地を判定する接地判定手段と、前記接地判定手段により判定された前記短絡接地器具の状態に関する情報を、前記送信機、前記受信手段、及び前記接地判定手段が配置される工事現場から遠隔の地にある指令所に配置された管理装置に送信する情報送信手段と、を備えたことを特徴とする。
【０００６】
請求項２に記載の発明は、前記接地判定手段は、前記ＩＤ信号が前記受信手段によって受信される場合に前記短絡接地器具が非接地中であると判定し、前記ＩＤ信号が前記受信手段によって受信されない場合に前記短絡接地器具が接地中であると判定することを特徴とする。
請求項３に記載の発明は、前記接地判定手段は、前記ＩＤ信号の受信状態の変化に基づいて、電気工事の作業段階を判定することを特徴とする。
請求項４に記載の発明は、前記電波強度に基づいて前記送信機との距離を算出する測距手段を備え、前記接地判定手段は、前記送信機との距離が閾値未満である場合に前記短絡接地器具が非接地中であると判定し、前記送信機との距離が閾値以上である場合に前記短絡接地器具が接地中であると判定することを特徴とする。
請求項５に記載の発明は、前記工事現場に配置されて、前記送信機、若しくは前記短絡接地器具の状態、又はこれらの状態に基づく情報を外部に報知する報知手段を備えたことを特徴とする。
【発明の効果】
【０００７】
本発明によれば、工事現場とこれを管理する指令所との間で短絡接地器具の状態に関する情報を共有することができるので、短絡接地器具の取り外し忘れを効果的に防止し、ヒューマンエラーによる停電事故の防止、及び作業員の安全を確保することが可能となる。
【図面の簡単な説明】
【０００８】
【図１】短絡接地器具の一例を示す図である。
【図２】接地管理システムの一例を示す構成図である。
【図３】送信機の外観構成の一例を示す図である。
【図４】受信機の外観構成の一例を示す図である。
【図５】本発明の第一の実施形態に係る状態テーブルを示す図である。
【図６】本発明の第一の実施形態に係る接地管理システムのシーケンス図である。
【図７】本発明の第一の実施形態に係る受信機の動作を示したフローチャートである。
【図８】本発明の第二の実施形態に係る状態テーブルを示す図である。
【図９】本発明の第二の実施形態に係る接地管理システムのシーケンス図である。
【図１０】本発明の第二の実施形態に係る受信機の動作を示したフローチャートである。
【図１１】本発明の第二の実施形態に係る受信機の動作を示したフローチャートである。
【図１２】本発明の第三の実施形態に係る状態テーブルを示す図である。
【図１３】本発明の第三の実施形態に係る接地管理システムのシーケンス図である。
【図１４】本発明の第三の実施形態に係る受信機の動作を示したフローチャートである。
【図１５】（ａ）〜（ｃ）は、停電作業の様子を示す模式図である。
【発明を実施するための形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
以下、本発明の実施形態を詳細に説明する。
【００１０】
〔短絡接地器具〕
短絡接地器具について説明する。図１は、短絡接地器具の一例を示す図である。短絡接地器具には、本発明の実施形態に係る接地管理システムを構成する送信機１０が取り付けられる。
短絡接地器具１０５は、高圧配電線等の電路と接地線との間に接続されることにより、停電作業中に作業員を感電等から保護する手段である。短絡接地器具１０５は、図１５に示す電路１０１に対して着脱自在に接続される接続具１０６を夫々備えた３本の電力線用ケーブル１０７と、接地線と自在に着脱する接地金具１０８を有し、各電力線用ケーブル１０７と導通した接地用ケーブル１０９とを備えている。
接続具１０６は、電路と電気的・機械的に接続する導体部を有し、電路（電線）を挟圧保持するフックやクリップ等から構成される。
接続具１０６と電力線用ケーブル１０７とは導通しており、夫々の電力線用ケーブル１０７は接地用ケーブル１０９の一端部に導通接続さている。また、接地用ケーブル１０９の他端部には接地金具１０８が導通接続されている。
ここで、電路１０１は地上から７〜８メートル程度離れた箇所にあるため、短絡接地器具１０５を用いて接地がつけられる場合に接続具１０６と電力線用ケーブル１０７は、地上高くに位置することになる。
【００１１】
〔第一の実施形態〕
本発明の第一の実施形態に係る接地管理システムについて図２に基づいて説明する。図２は、接地管理システムの一例を示す構成図である。
接地管理システム１は、複数の送信機１０（１０ａ、１０ｂ、１０ｃ…）、受信機３０、スマートフォン等の携帯端末５０、及び管理装置６０を備える。
電気工事が実施される工事現場側には、送信機１０、受信機３０、及び携帯端末５０が配置される。受信機３０と携帯端末５０は電気工事が実施されている間、工事現場の作業員によって携帯される。また、管理装置６０は、工事現場から遠隔の地において電気工事を集中的に管理し、必要に応じて指令を出す指令所に配置される。
【００１２】
送信機１０は、図１に示すように短絡接地器具１０５の少なくとも１つの接続具１０６又は電力線用ケーブル１０７に装着される。送信機１０から送信された電波は受信機３０によって受信される。受信機３０は送信機１０から受信した電波の状態に基づいて送信機１０の状態に関するデータを作成して携帯端末５０に送信する。携帯端末５０と管理装置６０はインターネット等の通信回線であるネットワークＮを介して通信可能に接続されており、携帯端末５０は受信機３０から受信した送信機１０の状態に関するデータを管理装置６０に送信する。これにより、送信機１０の状態、即ち短絡接地器具１０５の状態を、工事現場と指令所との間で共有することができる。
以下、接地管理システムを構成する各装置について説明する。
【００１３】
〈送信機〉
送信機の外観構成について説明する。図３は、送信機の外観構成の一例を示す図である。
送信機１０は、内部に制御回路を収容した本体１１と、本体１１を短絡接地器具１０５に着脱自在に装着する為の装着部材１６とを備えている。
本体１１は、送信機１０の電源をオン又はオフする電源スイッチ１２と、送信機１０の状態を表示するランプ１３とを備えている。電源スイッチにより送信機１０の電源をオンすることにより、送信機１０はＩＤ信号を送信する。また、ランプ１３は内蔵電源（電池）の状態と電波の送信状態（又は電源のオン／オフ状態）を表示する。
装着部材１６は、例えば面ファスナーを備えた帯状部材とすることができる。装着部材１６を図１に示す短絡接地器具１０５の接続具１０６の適所又は電力線用ケーブル１０７の適所に巻き付けると共に、面ファスナーのループ面とフック面とを互いに接着することによって、短絡接地器具１０５に脱落しないように取り付ける。
【００１４】
送信機１０のハードウェア構成について説明する。送信機１０は、ＣＰＵ（Central Processing Unit）、ＲＯＭ（Read Only Memory）、ＲＡＭ（Random Access Memory）等を備えた一般的なマイクロコンピュータ装置と、無線によりデータの送信を行う送信モジュールとを備えた構成を有する。送信機１０のＣＰＵがＲＯＭに記憶されたプログラムを読み出してＲＡＭに展開して実行することにより、送信機１０は所定の動作を実現する。
【００１５】
送信機の機能構成について説明する。
送信機１０は、図２に示すように、処理部２１とＩＤ記憶部２２（ＩＤ記憶手段）と送信部２３（ＩＤ信号送信手段）とを備えている。
処理部２１は、送信機１０の各部の動作を制御する部位であり、主としてＣＰＵとＲＡＭによって実現される。
ＩＤ記憶部２２は、各送信機１０に割り当てられた固有のＩＤ（識別情報）を記憶する部位であり、主としてＲＯＭによって実現される。
送信部２３は、ＩＤのデータを含むＩＤ信号を無線により外部に送信する手段であり、主として送信モジュールによって実現される。
送信機１０の電源がオンとなった場合に、処理部２１はＩＤ記憶部２２から自装置のＩＤを読み出す。また、処理部２１は、読み出したＩＤを無線（電波）により外部（受信機３０）に送信するように、送信部２３の動作を制御する。
【００１６】
〈受信機〉
受信機の外観構成について説明する。図４は、受信機の外観構成の一例を示す図である。
受信機３０は、内部に制御回路を収容した本体３１と、本体３１に設けられて、受信機３０の電源をオン又はオフする電源スイッチ３２と、受信機３０の状態を表示する状態ランプ３３と、夫々の送信機１０からの電波の受信状態を表示する複数の受信ランプ３４（報知手段）と、を備える。また、本体３１には、携帯端末５０に対してデータを送信する手段として、赤外線通信ポート３５、及び赤外線通信ポート３５を作動させる送信スイッチ３６を備える。状態ランプ３３は、電源のオン又はオフ状態、及び赤外線通信ポート３５を使用した通信状態等を色や点滅状態の変化等により表示する。
受信機３０は、工事現場の作業員が携帯するに適した大きさである。
【００１７】
受信機３０のハードウェア構成について説明する。受信機３０は、ＣＰＵ、ＲＯＭ、ＲＡＭ等を備えた一般的なマイクロコンピュータ装置と、無線によりデータの送受信を行う送受信モジュールと、ランプやＬＥＤ等の発光手段を備えた構成を有する。受信機３０は、ＣＰＵがＲＯＭに記憶されたプログラムを読み出してＲＡＭに展開して実行することにより、所定の動作を実現する。
また、受信機３０は、設定入力用のボタン（入力手段）や、各種の情報表示用の液晶表示パネル（報知手段、表示手段）、及び、設定記憶用のメモリとして電源がオフとなった場合にも設定を保持可能なフラッシュメモリ等の不揮発性メモリ（設定記憶手段）を備えてもよい。なお、報知手段としての受信ランプ３４を液晶表示パネルにて代用してもよい。
【００１８】
受信機３０の機能構成について説明する。
受信機３０は、図２に示すように、受信部４１（受信手段）、処理部４２（接地判定手段）、状態記憶部４３、ランプ駆動部４４、及び、送信部４５を備える。
受信部４１は、各送信機１０から送信されたＩＤのデータを含むＩＤ信号を無線により受信する部位であり、送受信モジュールによって実現される。
処理部４２は、受信機３０の各部を制御する手段であり、主としてＣＰＵ及びＲＡＭによって実現される。処理部４２は、受信部４１が受信したＩＤ信号を復号化して送信機のＩＤを抽出すると共に夫々の送信機１０の電波状態を状態記憶部４３に記憶させる。即ち、処理部４２は、短絡接地器具が接地中であるか非接地中であるかを、ＩＤ信号を含む電波の電波強度に基づいて判定する接地判定手段として機能する。また、処理部４２は、各送信機１０に対応する受信ランプ３４（図４参照）を、各送信機１０の電波状態に応じて点灯させるようにランプ駆動部４４を制御する。更に、処理部４２は、各送信機１０の電波状態を、送信部４５を介して携帯端末５０に対して送信する。
【００１９】
状態記憶部４３は揮発性メモリであるＲＡＭによって実現される。状態記憶部４３は、送信機１０の現在の電波状態を状態テーブルに記憶する。図５は、本発明の第一の実施形態に係る状態テーブルを示す図である。状態テーブルには、受信機３０が電源オンとなった後にＩＤ信号を受信した送信機１０のＩＤと、当該ＩＤを有する送信機１０の現在の電波状態とが対応付けて記録されている。
ランプ駆動部４４は、処理部４２の制御に従って受信ランプ３４（図４参照）を駆動制御する。ランプ駆動部４４は送信機１０の電波状態を、受信ランプ３４の点灯、消灯、或いは受信ランプ３４の点滅や点灯色の変更等によって表示する。
送信部４５は、携帯端末５０に対して送信機１０に関する情報を送信する部位であり、送受信モジュールによって実現される。送信部４５は、例えば赤外線による通信手段とすることができる。
【００２０】
〈携帯端末〉
携帯端末５０は、例えばスマートフォン等の携帯型のコンピュータ装置から構成される。携帯端末５０は、工事現場の作業員によって保有される。
携帯端末５０は、一般的なスマートフォンと同様に、ＣＰＵ、ＲＯＭ、ＲＡＭ、通信モジュール、タッチパネルディスプレイ等を備えた構成を有する。携帯端末５０は、ＣＰＵがＲＯＭに記憶されたプログラム（アプリケーション）を読み出してＲＡＭに展開して実行することにより、所定の機能及び動作を実現する。
【００２１】
携帯端末の機能構成について説明する。
携帯端末５０は、通信部５１、処理部５４、操作表示部５５等を備える。
通信部５１は、受信機３０からのデータを受信する第一通信部５２と、管理装置６０との間でネットワークＮを介してデータを送受信する第二通信部５３（情報送信手段）とを備える。第一通信部５２は、例えば赤外線やBluetooth（登録商標）等を利用した無線による通信手段であってもよいし、ＵＳＢ（Universal Serial Bus）ケーブル等を利用した有線による通信手段であってもよい。第二通信部５３は、３Ｇ(3rd Generation)、ＷｉＭＡＸ(Worldwide Interoperability for Microwave Access)、ＬＴＥ(Long Term Evolution)等の無線通信規格に準拠した通信手段である。
処理部５４は、携帯端末５０の各部の動作を制御する手段であり、主としてＣＰＵ及びＲＡＭによって実現される。
操作表示部５５は、作業員からの操作入力を受け付け、又は、作業員に対して必要な情報を表示する部位であり、主としてタッチパネルディスプレイにより実現される。
【００２２】
〈管理装置〉
管理装置６０は、ＣＰＵ、ＲＯＭ、ＲＡＭ、ネットワークインターフェース等の通信モジュール、キーボードやマウス等の入力装置、表示装置であるディスプレイ等を備えた一般的なコンピュータ装置である。管理装置６０は、工事現場から遠隔の地にある指令所に配置される。
【００２３】
管理装置６０の機能構成について説明する。管理装置６０は、通信部６１、処理部６２、表示制御部６３等を備える。
通信部６１は通信モジュールによって実現される。通信部６１は、携帯端末５０から送信されたデータを、ネットワークＮを介して受信する。また必要なデータを携帯端末５０に対してネットワークＮを介して送信する。
処理部６２は、管理装置６０の各部の動作を制御する手段であり、主としてＣＰＵとＲＡＭによって実現される。処理部６２は、通信部６１が受信したデータに対して必要な処理を実行する。また、表示制御部６３は、通信部６１が受信したデータの内容をディスプレイに表示させる。
【００２４】
〈シーケンス図〉
図６は、本発明の第一の実施形態に係る接地管理システムのシーケンス図である。
なお、受信機については電源と携帯端末へのデータの送信がオンとなっていること、携帯端末と管理装置については本発明の実施形態に関わるアプリケーションが起動していることを前提とする。
本実施形態において送信機１０が送信する電波は微弱であり、送信機１０が取り付けられた接続具１０６又は電力線用ケーブル１０７が電路１０１の近くに位置する場合には、送信機１０が送信する電波は地上にいる作業員が保持する受信機３０によって受信されない構成である。本実施形態においては、送信機１０が発する電波が受信機３０によって受信されていない場合に短絡接地器具１０５が電路１０１に取り付けられていると判断し、送信機１０が発する電波が受信機３０によって受信されている場合に短絡接地器具１０５が電路１０１から取り外されているものと判断して、各部を動作させる点に特徴がある。ここで、「送信機１０が発する電波が受信機３０によって受信されていない場合」とは、送信機のＩＤを抽出できない場合である。
【００２５】
ステップＳ１において送信機１０の電源がオンにされると、ステップＳ２において送信機１０はＩＤ信号として自装置が保有するＩＤを継続的又は断続的に送信する。
送信機１０からＩＤを受信した受信機３０は、受信したＩＤと当該ＩＤを有する送信機の電波状態として受信フラグ「１」を紐付けて状態記憶部４３（状態テーブル）に記憶させる（ステップＳ３）。
また、ステップＳ４において受信機３０は、受信したＩＤに対応させて点灯又は消灯させる受信ランプを１つ決定し、当該受信ランプを点灯させる。
ステップＳ５において受信機３０は、携帯端末５０に対して送信機１０のＩＤと当該ＩＤを有する送信機１０の状態を送信する。つまり、受信機３０は、送信機１０の状態として状態テーブルの内容を携帯端末５０に送信する。
ステップＳ６において、受信機３０からデータを受信した携帯端末５０は、状態テーブルの内容を管理装置６０に送信する。即ち、本実施形態において携帯端末５０は、受信機３０と管理装置６０との間を中継する中継装置として機能する。
ステップＳ７において管理装置６０は、携帯端末５０から受信したデータの内容を表示装置に表示させる。
【００２６】
ステップＳ８において、接続具１０６が電路１０１に取り付けられることにより、送信機１０が電路１０１の周辺に位置して受信機３０から離間すると、送信機１０が送信している電波が受信機３０に受信されなくなる。
この場合、ステップＳ９において受信機３０は、電波が中断した送信機１０について、状態テーブルに受信フラグ「０」を記憶させる。また、ステップＳ１０において受信機３０は、電波が中断した送信機１０に対応する受信ランプ３４を消灯させる。
ステップＳ１１〜Ｓ１３は、ステップＳ５〜Ｓ７と同様の動作であるため、説明を省略する。
ステップＳ１４において、接続具１０６が電路１０１から取り外されると、送信機１０の電波が受信機３０によって受信されるようになる。
この場合、ステップＳ１５において受信機３０は、電波が再開した送信機１０について、状態テーブルに受信フラグ「１」を記憶させる。また、ステップＳ１１において受信機３０は、電波が再開した送信機１０に対応する受信ランプ３４を点灯させる。
ステップＳ１７〜Ｓ１９は、ステップＳ５〜Ｓ７と同様の動作であるため、説明を省略する。
【００２７】
ステップＳ２０において、送信機１０の電源がオフにされると、受信機３０はＩＤを受信できなくなる。この場合は、ステップＳ２１〜Ｓ２５として、ステップＳ９〜Ｓ１３と同様の動作が実行される。
【００２８】
〈フローチャート〉
図７は、本発明の第一の実施形態に係る受信機の動作を示したフローチャートである。
受信機３０は、図４に示す電源スイッチ３２のオンにより動作を開始する。
電源スイッチ３２がオンされた場合、ステップＳ３１において、処理部４２（図２参照）は初期化処理を実行する。初期化処理において処理部４２は状態記憶部４３内の全データをクリアする。
受信部４１が送信機１０からＩＤ（ＩＤ信号）を受信した場合（ステップＳ３３にてＹＥＳ）に、処理部４２はステップＳ３５の処理を実行する。受信部４１が送信機１０からＩＤを受信しない場合（ステップＳ３３にてＮＯ）に、処理部４２はステップＳ４３の処理を実行する。
【００２９】
ステップＳ３５において、処理部４２は受信したＩＤが既に状態記憶部４３に登録されているか否かを確認する。ＩＤが未登録である場合（ステップＳ３５にてＮＯ）、処理部４２は状態記憶部４３の状態テーブル（図５）にＩＤを新規登録する（ステップＳ３７）。ＩＤが登録済みである場合（ステップＳ３５にてＹＥＳ）、ステップＳ３９の処理を実行する。
ステップＳ３９において、処理部４２は、送信機のＩＤに対応する電波受信フラグを「１」にする。
ステップＳ４１において、ランプ駆動部４４は、当該ＩＤに対応する一の受信ランプ３４（図４参照）を点灯させる。
【００３０】
続けてステップＳ４３において、処理部４２は、電波受信フラグが「１」となっている送信機のうち、一定時間ＩＤの受信を確認できていない送信機があるか否かを確認する。一定時間ＩＤの受信を確認できていない送信機が存在しない場合、即ち、ＩＤの受信を確認できていない送信機についてＩＤの未受信時間が一定時間未満の場合（ステップＳ４３にてＮＯ）は、ステップＳ４９の処理を実行する。
一定時間ＩＤの受信を確認できていない送信機が存在する場合、即ち、ＩＤの受信を確認できていない送信機についてＩＤの未受信時間が一定時間以上の場合（ステップＳ４３にてＹＥＳ）、ステップＳ４５にて、処理部４２は当該ＩＤの電波受信フラグを「０」にする。また、ステップＳ４７において、ランプ駆動部４４は、当該ＩＤに対応する受信ランプ３４を消灯させる。
ステップＳ４９において、処理部４２は、送信スイッチ３６がオンになっているか否かを確認する。オンとなっている場合（ステップＳ４９にてＹＥＳ）は、状態テーブルのデータを送信部４５から携帯端末５０に送信する（ステップＳ５１）。オフとなっている場合（ステップＳ４９にてＮＯ）は、ステップＳ３３以降の処理を繰り返し実行する。
【００３１】
〈効果〉
本実施形態において携帯端末５０は、受信機３０と管理装置６０とを中継する中継装置として機能する。本実施形態においては、受信機３０と携帯端末５０を別個独立した構成としたが、受信機３０と携帯端末５０を一体化してもよい。この場合、短絡接地器具１０５の接地状態に関する情報を、受信ランプ３４ではなく、携帯端末５０が備えるタッチパネルディスプレイに表示することができる。
本実施形態において受信機３０の処理部４２は、送信機１０からの電波強度、即ち、ＩＤ信号の受信又は非受信に基づいて、送信機１０が取り付けられた短絡接地器具の接地又は非接地を判断する。また、受信機３０を介して短絡接地器具の接地又は非接地の情報を受信した携帯端末５０から管理装置６０に短絡接地器具の接地又は非接地の情報を送信するので、工事現場と指令所との間で、短絡接地器具の接地又は非接地に関する情報を共有することができる。従って、短絡接地器具が取り外されたか否かを工事現場と指令所の双方で確認することができるので、短絡接地器具の取り外し忘れというヒューマンエラーによる事故を効果的に防止できる。
送信機１０は、工事現場の作業員が保持する受信機３０に対してＩＤ信号を送信するだけで足りるので、送信機１０に内蔵される送信モジュールの性能、蓄電池の容量を小規模にとどめることができるので、送信機１０の構成を簡略化することができる。
【００３２】
〔第二の実施形態〕
本発明の第二の実施形態に係る接地管理システムについて説明する。本実施形態においては、ＩＤ信号の受信状態の変化に基づいて電気工事の作業段階を判定する点に特徴がある。第一の実施形態と同一の構成については適宜説明を省略する。
【００３３】
〈状態テーブル〉
状態記憶部４３に記憶される状態テーブルについて説明する。図８は、本発明の第二の実施形態に係る状態テーブルを示す図である。
状態テーブルには、受信機３０が電源オンとなった後にＩＤ信号を受信した送信機１０のＩＤと、当該ＩＤを有する送信機１０及びこれが装着されている短絡接地器具に関する現在の作業段階（現在の状態）とが対応付けて記録されている。本例の状態テーブルには、電源オン、接地中、回収済み、電源オフ（作業終了）の４つの作業段階がフラグの状態（「０」又は「１」）によって記録される。各作業段階についてフラグが倒れている場合（フラグが「０」の場合）は、当該作業段階に到達していないことを示し、フラグが立っている場合（フラグが「１」の場合）は、当該作業段階に到達したことを示す。
【００３４】
電源オンフラグは、送信機１０の電源がオンとなったことを示すフラグである。送信機１０の電源オンによりＩＤ信号が受信機３０にて受信された場合に、状態テーブルには当該送信機１０のＩＤが登録されるとともに電源オンフラグに「１」が記録される。
接地中フラグは、短絡接地器具１０５が電路１０１に装着されていること、即ち接地が付けられていることを示すフラグである。電源オンフラグに「１」が立った後、送信機１０からのＩＤ信号が受信機３０によって受信されなくなった場合に接地中フラグの状態が「０」から「１」に変化する。
回収済フラグは、短絡接地器具１０５が電路１０１から取り外されたこと、すなわち接地が外されたことを示すフラグである。作業中フラグに「１」が立った後、送信機１０からのＩＤ信号が受信機３０によって再受信された場合に回収済フラグの状態が「０」から「１」に変化する。
電源オフフラグは、送信機１０の電源がオフとなったことを示すフラグである。回収済フラグに「１」が立った後、送信機１０からのＩＤ信号が受信機３０によって受信されなくなった場合に電源オフフラグの状態が「０」から「１」に変化する。
【００３５】
〈状態テーブルと受信ランプとの関係〉
夫々の送信機１０に対応して点灯する受信機３０の夫々の受信ランプ３４は、状態テーブルの各フラグの状態に基づいて点灯状態が変化する。即ち、受信ランプ３４は、ＩＤ信号の受信状態の変化に基づいて判定される電気工事の作業段階（送信機の状態と短絡接地器具の状態）を外部に報知する報知手段として機能する。
例えば、電源オンフラグに「１」が立っている場合（且つ他のフラグが「０」の場合）は、当該送信機に対応するランプが青色に点灯する。
接地中フラグに「１」が立っている場合（且つ回収済フラグと電源オフフラグが「０」の場合）は、当該送信機に対応するランプが赤色に点灯する。
回収済フラグに「１」が立っている場合（且つ電源オフフラグが「０」の場合）は、当該送信機に対応するランプが緑色に点灯する。
電源オフフラグに「１」が立っている場合は、当該送信機に対応するランプが消灯する。
【００３６】
このように、作業段階に応じてランプの点灯状態を変化させるので、作業員は送信機１０の電源のオン又はオフ状態と電波の受信状況を明確に認識することができる。なお、受信機３０は、スピーカ等の発音手段（報知手段）、及びこれを駆動制御する制御手段を備え、電源オフフラグ又は回収済みフラグが「１」となった送信機が存在し、且つ、回収済フラグが「０」のままの送信機が存在する場合には、発音手段からその旨を音により外部に報知する構成としてもよい。
【００３７】
〈シーケンス図〉
図９は、本発明の第二の実施形態に係る接地管理システムのシーケンス図である。第一の実施形態と同一のステップについては同一の番号を付して、適宜その説明を省略する。
まず、ステップＳ１、Ｓ２の動作が実行される。
送信機１０からＩＤを受信した受信機３０は、受信したＩＤと当該ＩＤを有する送信機の電波状態として電源オンフラグ「１」を紐付けて状態記憶部４３（状態テーブル）に記憶させる（ステップＳ３′）。
ステップＳ４′において受信機３０は、受信したＩＤに対応させて点灯又は消灯させるランプを１つ決定し、当該ランプを青色に点灯させる。
ステップＳ５〜Ｓ７の動作が実行される。
ステップＳ８において、接続具１０６が電路１０１に取り付けられることにより、送信機１０が電路１０１の周辺に位置して受信機３０から離間すると、送信機１０が送信している電波が受信機３０に受信されなくなる。
この場合、ステップＳ９′において受信機３０は、電波が中断した送信機１０について、状態テーブルに接地中フラグ「１」を記憶させる。また、ステップＳ１０′において受信機３０は、電波が中断した送信機１０に対応する受信ランプ３４を赤色に点灯させる。
【００３８】
ステップＳ５〜Ｓ７と同様に、ステップＳ１１〜Ｓ１３の動作が実行される。
ステップＳ１４において、接続具１０６が電路１０１から取り外されると、送信機１０の電波が受信機３０によって受信されるようになる。
この場合、ステップＳ１５′において受信機３０は、電波が再開した送信機１０について、状態テーブルに回収済フラグ「１」を記憶させる。また、ステップＳ１６′において受信機３０は、電波が再開した送信機１０に対応する受信ランプ３４を緑色に点灯させる。
ステップＳ５〜Ｓ７と同様に、ステップＳ１７〜Ｓ１９の動作が実行される。
【００３９】
ステップＳ２０において、送信機１０の電源がオフにされると、受信機３０はＩＤを受信できなくなる。この場合は、ステップＳ２１′において受信機３０は、電波が停止した送信機１０について、状態テーブルに電源オフフラグ「１」を記憶させる。また、ステップＳ２２′において受信機３０は、電波が中断した送信機１０に対応する受信ランプ３４を消灯させる。
ステップＳ５〜Ｓ７と同様に、ステップＳ２３〜Ｓ２５の動作が実行される。
【００４０】
〈フローチャート〉
本発明の第二の実施形態に係る受信機の動作について、フローチャートに基づいて説明する。図１０、図１１は、本発明の第二の実施形態に係る受信機の動作を示したフローチャートである。
【００４１】
まず、図１０に基づいて送信機のＩＤを状態テーブルに登録する処理について説明する。以下、第一の実施形態と同一のステップについては同一の番号を付して説明を省略する。
受信機３０は、ステップＳ３１〜Ｓ３７までの処理を実行する。
ステップＳ３９′において、処理部４２は、状態テーブルのＩＤに対応付けて電源オンフラグを「１」にする。
ステップＳ４１′において、ランプ駆動部４４は、当該ＩＤに対応する受信ランプ３４を青色に点灯させる。
ステップＳ４９、Ｓ５１の処理を実行する。
【００４２】
図１１は、送信機のＩＤが状態テーブルに登録された後、送信機の電源がオフされるまでの処理を示している。
ステップＳ６１において、処理部４２は状態テーブルにＩＤが登録されている一の送信機１０について、受信部４１が送信機１０からＩＤ（ＩＤ信号）を受信したか否かを確認する。ＩＤの受信を確認できなかった場合（ステップＳ６１にてＮＯ）に処理部４２は、ステップＳ６９の処理を実行する。ＩＤの受信を確認した場合（ステップＳ６１にてＹＥＳ）に処理部４２は、ステップＳ６３の処理を実行する。
ステップＳ６３において、処理部４２は、当該ＩＤの接地中フラグが「１」であるか否かを確認する。接地中フラグが「０」（ステップＳ６３にてＮＯ）である場合は、ステップＳ８１以下の処理を実行する。接地中フラグが「１」である場合（ステップＳ６３にてＹＥＳ）は、ステップＳ６５の処理を実行する。
ステップＳ６５において、処理部４２は、送信機のＩＤに対応する回収済みフラグを「１」にする。
ステップＳ６７において、ランプ駆動部４４は、当該ＩＤに対応する一の受信ランプ３４（図４参照）を緑色に点灯させる。
ステップＳ６９において、処理部４２は、ＩＤを受信していない時間が一定時間以上であるか否かを確認する。ＩＤを受信していない時間が一定時間未満の場合（ステップＳ６９にてＮＯ）は、ステップＳ８１の処理を実行する。ＩＤを受信していない時間が一定時間以上である場合（ステップＳ６９にてＹＥＳ）は、ステップＳ７１の処理を実行する。
【００４３】
ステップＳ７１において、処理部４２は、当該ＩＤの回収済フラグが「１」であるか否かを確認する。回収済フラグが「０」である場合（ステップＳ７１にてＮＯ）は、ステップＳ７３の処理を実行する。回収済フラグが「１」である場合（ステップＳ７１３にてＹＥＳ）は、ステップＳ７７の処理を実行する。
ステップＳ７３において、処理部４２は、送信機のＩＤに対応する接地中フラグを「１」にする。
ステップＳ６７において、ランプ駆動部４４は、当該ＩＤに対応する一の受信ランプ３４（図４参照）を赤色に点灯させる。
ステップＳ７７において、処理部４２は、送信機のＩＤに対応する電源オフフラグを「１」にする。
ステップＳ７９において、ランプ駆動部４４は、当該ＩＤに対応する一の受信ランプ３４（図４参照）を消灯させる。
【００４４】
ステップＳ８１において、処理部４２は、全ての送信機のＩＤについて状態を確認したか否かを確認する。状態の確認が終了していない送信機１０が存在する場合（ステップＳ８１にてＮＯ）は、ステップＳ６１以下の処理を実行する。全ての送信機１０について状態の確認が終了している場合（ステップＳ８１にてＹＥＳ）は、ステップＳ８３の処理を実行する。
ステップＳ８３において、処理部４２は、送信スイッチ３６がオンになっているか否かを確認する。オンとなっている場合（ステップＳ８３にてＹＥＳ）は、状態テーブルのデータを送信部４５から携帯端末５０に送信する（ステップＳ８５）。オフとなっている場合（ステップＳ８５にてＮＯ）は、ステップＳ６１以降の処理を繰り返し実行する。
【００４５】
送信機１０は電源オフに伴ってＩＤを送信しなくなるため、本実施形態においては回収済みフラグが「１」となった後、送信機からのＩＤの受信を確認できなくなった場合に電源オフフラグを「１」とする構成とした。変形例として送信機１０は、電源スイッチ３２がオフ操作された場合に電源をオフするに先立って「電源オフ通知」を送信し、受信機３０は「電源オフ通知」を受信した場合に電源オフフラグを「１」とする構成としてもよい。
以上、本実施形態にかかる受信機３０は、送信機１０からのＩＤ信号の受信状態の変化に基づいて電気工事の作業段階を判定し、これを状態テーブルに記憶し、更に、受信ランプの点灯状態を電気工事の作業段階に応じて変化させるので、工事現場の作業員が電気工事の作業段階を容易に把握することができる。また、状態テーブルの内容を受信した管理装置によって、指令所の所員も電気工事の作業段階を容易に把握することができる。
【００４６】
〔第三の実施形態〕
本発明の第三の実施形態に係る接地管理システムについて説明する。本実施形態においては、送信機と受信機との距離を測定する点に特徴がある。第一、及びの実施形態と同一の構成については適宜説明を省略する。
【００４７】
〈受信機〉
受信機の機能構成について、図２を参照して説明する。
受信機３０の受信部４１は、送信機１０から受信する電波の電波強度に基づいて送信機１０との間の距離を測定する測距手段としての機能を有する。受信部４１は、送信機１０からＩＤを受信した場合に、受信したＩＤと当該ＩＤを有する送信機１０との距離を電波強度に基づいて算出して、処理部４２に出力する。
また、処理部４２は、ＩＤの受信有無及び距離情報に基づいて、当該ＩＤを有する送信機の状態を判定する。即ち、ＩＤを受信していない場合には送信機１０が「電源オフ」状態であると判定し、距離が閾値以上（例えば５ｍ以上）である場合に送信機１０が「接地中」であると判定し、距離が閾値未満（例えば５ｍ未満）である場合に「非接地中」であると判定する。
なお、処理部４２が判定に用いる閾値については、受信機３０に備えられた入力ボタン等の入力手段から作業員が任意の値を設定し、設定した値を液晶表示パネル等により確認可能となっている。また、入力された閾値は、受信機３０が備えるフラッシュメモリ等の不揮発性メモリに記憶される。処理部４２は、不揮発性メモリから閾値を読み出して、送信機１０の状態を判定する際に使用する。
処理部４２は、送信機１０に関する情報を送信機のＩＤと対応づけて状態テーブルに記憶させる。
【００４８】
図１２は、本発明の第三の実施形態に係る状態テーブルを示す図である。状態テーブルには、送信機のＩＤと、当該ＩＤを有する送信機１０と受信機３０との距離と、送信機からの電波の有無及び距離に基づいて処理部４２によって判定された送信機１０の状態が記憶される。
ランプ駆動部４４は、第二の実施形態と同様に処理部４２の判定結果に基づいて受信ランプ３４の点灯状態を変化させる。例えば「非接地中」の場合は受信ランプ３４を青色に点灯させ、「接地中」の場合は受信ランプ３４を赤色に点灯させ、「電源オフ」の場合は受信ランプ３４を消灯させる。
【００４９】
〈シーケンス図〉
図１３は、本発明の第三の実施形態に係る接地管理システムのシーケンス図である。第一の実施形態と同一のステップについては同一の番号を付して、適宜その説明を省略する。
まず、ステップＳ１、Ｓ２の処理が実行される。
ステップＳ１０１において、ＩＤを受信した受信機３０は、電波強度に基づいて送信機１０との距離を算出する。
ステップＳ１０２において、受信機３０は、送信機１０との距離に基づいて、送信機１０の状態を判定する。ここでは「非接地中」と判定する。
ステップＳ１０３において、受信機３０は、送信機１０のＩＤを状態テーブルに新規登録すると共に、距離と送信機の状態を送信機のＩＤと紐付けて状態テーブルに記憶させる。
ステップＳ１０４において、受信機３０は、受信したＩＤに対応させて点灯又は消灯させる受信ランプ３４を１つ決定し、当該ランプを青色に点灯させる。
【００５０】
ステップＳ１０５において受信機３０は、携帯端末５０に対して送信機１０のＩＤと当該ＩＤを有する送信機１０の距離と状態を送信する。つまり、受信機３０は状態テーブルの内容を携帯端末５０に送信する。
ステップＳ１０６において、受信機３０からデータを受信した携帯端末５０は、状態テーブルの内容を管理装置６０に送信する。
ステップＳ１０７において管理装置６０は、携帯端末５０から受信したデータの内容を表示装置に表示させる。
【００５１】
ステップＳ８において、接続具１０６が電路１０１に取り付けられることにより、送信機１０が電路１０１の周辺に位置して受信機３０から離間する。
ステップＳ１１１において、ＩＤを受信した受信機３０は、電波強度に基づいて送信機１０との距離を算出する。
ステップＳ１１２において、受信機３０は、送信機１０との距離に基づいて、送信機１０の状態を判定する。ここでは「接地中」と判定する。
ステップＳ１１３において、受信機３０は、距離と送信機の状態を送信機のＩＤと紐付けて状態テーブルに記憶させる。
ステップＳ１１４において、受信機３０は、送信機のＩＤに対応する受信ランプ３４を赤色に点灯させる。
ステップＳ１１５〜Ｓ１１７の処理が、ステップＳ１０５〜Ｓ１０７の処理と同様に実行される。
【００５２】
ステップＳ１４において、接続具１０６が電路１０１から取り外されることにより、送信機１０が受信機３０と近接する位置に移動する。
ステップＳ１２１において、ＩＤを受信した受信機３０は、電波強度に基づいて送信機１０との距離を算出する。
ステップＳ１２２において、受信機３０は、送信機１０との距離に基づいて、送信機１０の状態を判定する。ここでは「非接地中」と判定する。
ステップＳ１２３において、受信機３０は、距離と送信機の状態を送信機のＩＤと紐付けて状態テーブルに記憶させる。
ステップＳ１２４において、受信機３０は、送信機のＩＤに対応する受信ランプ３４を青色に点灯させる。
ステップＳ１２５〜Ｓ１２７の処理が、ステップＳ１０５〜Ｓ１０７の処理と同様に実行される。
【００５３】
ステップＳ２０において、送信機１０の電源がオフにされると、受信機３０はＩＤを受信できなくなる。
ステップＳ１２３において、受信機３０は、距離（記録なし）と送信機の状態「電源オフ」を送信機のＩＤと紐付けて状態テーブルに記憶させる。
ステップＳ１２４において、受信機３０は、送信機のＩＤに対応する受信ランプ３４を消灯させる。
ステップＳ１２５〜Ｓ１２７の処理が、ステップＳ１０５〜Ｓ１０７の処理と同様に実行される。
【００５４】
〈フローチャート〉
本発明の第三の実施形態に係る受信機の動作について、フローチャートに基づいて説明する。図１４は、本発明の第三の実施形態に係る受信機の動作を示したフローチャートである。
以下、第一の実施形態と同一のステップについては同一の番号を付して説明を省略する。
受信機３０は、ステップＳ３１の処理を実行する。
受信部４１が送信機１０からＩＤ（ＩＤ信号）を受信した場合（ステップＳ３３にてＹＥＳ）に、受信部４１はステップＳ１４１の処理を実行する。受信部４１が送信機１０からＩＤを受信しない場合（ステップＳ３３にてＮＯ）に、処理部４２はステップＳ１５３の処理を実行する。
ステップＳ１４１において、受信部４１は、送信機１０の電波強度に基づいて送信機１０との距離を算出すると共に、算出した距離と対応する送信機のＩＤとを処理部４２に通知する。
処理部４２はステップＳ３５、Ｓ３７の処理を実行する。
【００５５】
ステップＳ１４３において、処理部４２は、送信機１０との距離が閾値未満であるか否かを判定する。閾値未満である場合（ステップＳ１４３にてＹＥＳ）、即ち、送信機１０が受信機３０と近接した位置にある場合に、処理部４２は送信機１０が「非接地中」の状態であると判断して、ステップＳ１４５の処理を実行する。閾値以上である場合（ステップＳ１４３にてＮＯ）、即ち、送信機１０が受信機３０から離間した位置にある場合に、処理部４２は送信機１０が「接地中」の状態であると班田して、ステップＳ１４９の処理を実行する。
ステップＳ１４５において、処理部４２は、送信機１０との距離と送信機１０の状態「非接地中」を送信機のＩＤに対応させて状態テーブルに記憶させる。
ステップＳ１４７において、ランプ駆動部４４は、当該ＩＤに対応する一の受信ランプ３４（図４参照）を青色に点灯させる。
ステップＳ１４９において、処理部４２は、送信機１０との距離と送信機１０の状態「接地中」を送信機のＩＤに対応させて状態テーブルに記憶させる。
ステップＳ１５１において、ランプ駆動部４４は、当該ＩＤに対応する一の受信ランプ３４（図４参照）を赤色に点灯させる。
【００５６】
ステップＳ１５３において、処理部４２は、状態テーブルにＩＤが記憶されている送信機１０のうち、一定時間ＩＤの受信を確認できていない送信機があるか否かを確認する。一定時間ＩＤの受信を確認できていない送信機が存在しない場合、即ち、ＩＤの受信を確認できていない送信機についてＩＤの未受信時間が一定時間未満の場合（ステップＳ１５３にてＮＯ）は、ステップＳ４９の処理を実行する。
一定時間ＩＤの受信を確認できていない送信機が存在する場合、即ち、ＩＤの受信を確認できていない送信機についてＩＤの未受信時間が一定時間以上の場合（ステップＳ１５３にてＹＥＳ）、処理部４２は、ステップＳ１５５の処理を実行する。
ステップＳ１５５において、処理部４２は、送信機１０との距離（距離情報なし）と送信機１０の状態「電源オフ」を送信機のＩＤに対応させて状態テーブルに記憶させる。
ステップＳ１５１において、ランプ駆動部４４は、当該ＩＤに対応する一の受信ランプ３４（図４参照）を消灯させる。
ステップＳ４９、Ｓ５１の処理を実行すると共に、ステップＳ３３以降の処理を繰り返し実行する。
【００５７】
本実施形態によれば、送信機からの電波の有無、及び受信機と送信機との距離に基づいて送信機の状態（短絡接地器具の状態）が、非接地中、接地中、電源オフの何れにあるかを判定するので、現在の作業段階を容易に把握できる。また、作業員が送信機の状態を判定するための閾値を、現場の状況に応じて任意に設定できるので、送信機の状態（短絡接地器具の状態）に関する判定精度を高めることができる。
【００５８】
〔本発明の実施態様例と作用、効果のまとめ〕
＜第一の実施態様＞
本態様に係る接地管理システム１は、短絡接地器具１０５に装着されて、ＩＤ信号を送信するＩＤ信号送信手段（送信部２３）を備えた送信機１０と、ＩＤ信号送信手段から送信されたＩＤ信号を受信する受信手段（受信機３０の受信部４１）と、受信手段によって受信されたＩＤ信号を含む電波の電波強度に基づいて短絡接地器具の接地又は非接地を判定する接地判定手段（処理部４２）と、接地判定手段により判定された短絡接地器具の状態に関する情報を、送信機、受信手段、及び接地判定手段が配置される工事現場から遠隔の地にある指令所に配置された管理装置６０に送信する情報送信手段（第二通信部５３）と、を備えたことを特徴とする。
【００５９】
本態様においては、送信機が、指令所に配置された管理装置に短絡接地器具の接地又は非接地状態に関する情報を直接送信する構成ではなく、送信機は工事現場の作業員が保持する受信機に対してＩＤ信号を含む電波を送信する構成である。従って、送信機に内蔵される送信モジュールの性能、蓄電池の容量を小規模にとどめることができるので、送信機の構成を簡略化できる。
また、本態様においては、受信機が電波強度に基づいて、即ち、受信機が送信機との距離に基づいて短絡接地器具の状態を判定する。送信機には、接地状態に応じて電波の送信や停止をするためのスイッチといった接地状態の判定を実施するための構成を設ける必要がなく、この点においても送信機の構成を簡略化できる。
本態様によれば、工事現場とこれを管理する指令所との間で短絡接地器具の状態に関する情報を共有することができるので、短絡接地器具の取り外し忘れを効果的に防止し、ヒューマンエラーによる停電事故の防止と、作業員の安全を確保することが可能となる。
【００６０】
＜第二の実施態様＞
本態様に係る接地管理システム１において、接地判定手段（処理部４２）は、ＩＤ信号が受信手段（受信部４１）によって受信される場合に短絡接地器具１０５が非接地中であると判定し、ＩＤ信号が受信手段によって受信されない場合に短絡接地器具が接地中であると判定することを特徴とする。
ここで、送信機１０が装着される短絡接地器具１０５は電路１０１に装着されるため、短絡接地器具１０５が接地中のとき、送信機１０は地上から７〜８メートル程度離れた箇所に位置する。本態様においては、送信機が発信する電波をごく微弱なものとし、送信機からの距離が７〜８メートル程度離れたときに、受信機が送信機からの電波を受信できない構成とした。
本態様によれば、送信機が発する電波強度をごく微弱なものとすることができるので、送信機の構成を簡略化できる。
【００６１】
＜第三の実施態様＞
本態様に係る接地管理システム１において、接地判定手段は、ＩＤ信号の受信状態の変化に基づいて、電気工事の作業段階を判定することを特徴とする。
本態様によれば、接地判定手段によって判定された電気工事の作業段階に関する情報を、現場の作業と指令所の所員によって共有することができるようになる。
【００６２】
＜第四の実施態様＞
本態様に係る接地管理システム１は、電波強度に基づいて送信機との距離を算出する測距手段（受信部４１）を備え、接地判定手段（処理部４２）は、送信機との距離が閾値未満である場合に短絡接地器具が非接地中であると判定し、送信機との距離が閾値以上である場合に短絡接地器具が接地中であると判定することを特徴とする。
本態様においては、第二の実施態様とは異なり、送信機からの距離が７〜８メートル程度離れたときであっても、受信機は送信機からの電波を受信し、受信した電波の強度に基づいて送信機との距離を算出する。また、受信機は算出された距離が閾値以上であるか閾値未満であるかに基づいて短絡接地器具の状態を判定する。作業員は、判定に用いる閾値を現場の状況に応じて任意に設定できるので、接地判定手段による送信機の状態（短絡接地器具の状態）に関する判定精度を高めることができる。
【００６３】
＜第五の実施態様＞
本態様に係る接地管理システム１は、工事現場に配置されて、送信機１０、若しくは短絡接地器具１０５の状態、又はこれらの状態に基づく情報を外部に報知する報知手段（受信ランプ３４）を備えたことを特徴とする。
短絡接地器具又は送信機の状態に基づく情報には、例えば送信機からのＩＤ信号の電波状態に基づいて判定される電気工事の作業段階に関する情報を含む。なお、報知手段には受信ランプのほか、スピーカ、液晶表示パネル等、工事現場で作業をする作業員が認識可能な手段であれば、どのような手段を採用してもよい。
本態様によれば、作業員は報知手段からの情報に基づいて、短絡接地器具の取り外し忘れを効果的に防止し、ヒューマンエラーによる停電事故の防止、及び作業員の安全を確保することが可能となる。
【符号の説明】
【００６４】
１…接地管理システム、１０…送信機、１１…本体、１２…電源スイッチ、１３…ランプ、１６…装着部材、２１…処理部、２２…ＩＤ記憶部（ＩＤ記憶手段）、２３…送信部（ＩＤ信号送信手段）、３０…受信機、３１…本体、３２…電源スイッチ、３３…状態ランプ、３４…受信ランプ（報知手段）、３５…赤外線通信ポート、３６…送信スイッチ、４１…受信部（受信手段、測距手段）、４２…処理部（接地判定手段）、４３…状態記憶部、４４…ランプ駆動部、４５…送信部、５０…携帯端末、５１…通信部、５２…第一通信部、５３…第二通信部（情報送信手段）、５４…処理部、５５…操作表示部、６０…管理装置、６１…通信部、６２…処理部、６３…表示制御部、１０１…電路、１０２…工事区間、１０３…工事用開閉器、１０５…短絡接地器具、１０６…接続具、１０７…電力線用ケーブル、１０８…接地金具、１０９…接地用ケーブル
【図１】
2017099076.tif 000003
【図２】
2017099076.tif 000004
【図３】
2017099076.tif 000005
【図４】
2017099076.tif 000006
【図５】
2017099076.tif 000007
【図６】
2017099076.tif 000008
【図７】
2017099076.tif 000009
【図８】
2017099076.tif 000010
【図９】
2017099076.tif 000011
【図１０】
2017099076.tif 000012
【図１１】
2017099076.tif 000013
【図１２】
2017099076.tif 000014
【図１３】
2017099076.tif 000015
【図１４】
2017099076.tif 000016
【図１５】
2017099076.tif 000017